(57)【要約】【課題】光源ユニットに対しても絶縁対策を行うことなく搭載することができる照明装置を提供する。【解決手段】吊り部材１を介して被取付面に取り付けられる照明装置Ａであって、吊り部材１に接続される器具本体２と、器具本体２であって被取付面と反対側に搭載される光源ユニット３と、光源ユニット３に電力を供給する電源ユニット４とを備え、器具本体２は絶縁性材料から構成されている。【選択図】図３
2019153393.tif 000002
【特許請求の範囲】
【請求項１】
吊り部材を介して被取付面に取り付けられる照明装置であって、
前記吊り部材に接続される器具本体と、
前記器具本体であって前記被取付面と反対側に搭載される光源ユニットと、
前記光源ユニットに電力を供給する電源ユニットと
を備え、
前記器具本体は絶縁性材料から構成されている
照明装置。
【請求項２】
前記光源ユニットは環状をし、
前記器具本体は、中央部に前記電源ユニットと、当該電源ユニットの外周側に前記光源ユニットとを搭載し、
前記電源ユニットは電源カバーにより覆われ、
前記光源ユニットは環状の光源カバーにより覆われている
請求項１に記載の照明装置。
【請求項３】
前記光源カバーは、前記器具本体の前記被取付面側に位置する裏カバーと、前記器具本体の前記被取付面と反対側に位置する表カバーとを結合させてなる
請求項２に記載の照明装置。
【請求項４】
前記光源カバーは、前記環状に延伸する中心軸と直交する断面において、前記裏カバーと前記表カバーとの結合部分の半径が１５ｍｍ以上である
請求項３に記載の照明装置。
【請求項５】
前記光源カバーは、前記器具本体における前記光源ユニットを搭載している部分と接触しない状態で、前記器具本体に取り付けられている
請求項２〜４の何れか１項に記載の照明装置。
【請求項６】
前記器具本体の中央部分にプルスイッチが設けられ、
前記電源カバーは前記プルスイッチの引き紐用の貫通孔を有する
請求項２〜５の何れか１項に記載の照明装置。
【発明の詳細な説明】
【技術分野】
【０００１】
本発明は、取付部材を介して被取付面に取り付けられる照明装置に関する。
【背景技術】
【０００２】
近年、光源である光源素子を備える光源ユニットとして、隣接する２つの導電片を１組として、複数組の導電片に跨るように複数個の光源素子を実装したものが提案されている（例えば特許文献１）。
【先行技術文献】
【特許文献】
【０００３】
【特許文献１】国際公開第２０１７／１１５８６２号公報
【特許文献２】特開２０１６−９６００５号公報
【発明の概要】
【発明が解決しようとする課題】
【０００４】
しかしながら、特許文献１に記載の光源ユニットを利用して、例えば特許文献２に記載の照明装置に適用しようとすると、金属製の器具本体（ベース部材）との間で絶縁性シート等の対策が必要となる。
本発明は、絶縁板を利用した基板に光源素子を実装してなる光源ユニットだけでなく、導電片を利用した光源ユニットに対しても絶縁対策を行うことなく搭載することができる照明装置を提供することを目的とする。
【課題を解決するための手段】
【０００５】
本発明に係る照明装置は、吊り部材を介して被取付面に取り付けられる照明装置であって、前記吊り部材に接続される器具本体と、前記器具本体であって前記被取付面と反対側に搭載される光源ユニットと、前記光源ユニットに電力を供給する電源ユニットとを備え、前記器具本体は絶縁性材料から構成されている。
【発明の効果】
【０００６】
上述の構成によれば、器具本体が絶縁性材料により構成されているため、光源ユニットとの間に絶縁対策が不要となる。
【図面の簡単な説明】
【０００７】
【図１】実施形態に係る照明装置の斜視図であり、（ａ）は表側から見た図であり、（ｂ）は裏側から見た図である。
【図２】照明装置の断面図である。
【図３】照明装置の分解状態を表側から見た斜視図である。
【図４】照明装置の分解状態を裏側から見た斜視図である。
【図５】吊り部材の斜視図であり、（ａ）は裏側から見た図であり、（ｂ）は表側から見た図である。
【図６】（ａ）は器具本体を表側から図であり、（ｂ）は器具本体を裏側から見た図である。
【図７】器具本体を表側から見た斜視図であり、一部を切り欠いている。
【図８】器具本体を裏側から見た斜視図であり、一部を切り欠いている。
【図９】（ａ）は吊り部材が器具本体に係合する前の状態を裏側から見た斜視図であり、（ｂ）は吊り部材が器具本体に固定された状態を裏側から見た斜視図である。
【図１０】（ａ）は照明装置における光源カバーが器具本体に係合している周辺の断面を裏側から見た図であり、（ｂ）は照明装置における光源カバーが表カバーに係合している周辺の断面を表側から見た図であり、（ｃ）は照明装置における光源カバーが器具本体に固定されている周辺の断面を表側から見た図である。
【図１１】（ａ）は器具本体に光源ユニット等を装着した状態を表側から見た斜視図であり、（ｂ）は器具本体にさらに電源ユニットを装着した状態を表側から見た斜視図である。
【図１２】光源ユニットの分解状態を表側から見た斜視図である。
【図１３】光源ユニットの斜視図であり、（ａ）は表側から見た図であり、（ｂ）は裏側から見た図である。
【図１４】（ａ）は光源ユニットとケーブルとの接続状態を示す図であり、（ｂ）は光源ユニットの器具本体の取付状態を示す図である。
【図１５】電源カバーを裏側から見た斜視図であり、（ａ）は第１の方向から見た図であり、（ｂ）は第１の方向と反対側から見た図である。
【図１６】表カバーを裏側から見た斜視図である。
【図１７】表カバーに電源カバーを装着した状態を裏側から見た斜視図であり、（ａ）は第１の方向から見た図であり、（ｂ）は第１の方向と反対側から見た図である。
【図１８】裏カバーを表側から見た斜視図である。
【図１９】表カバーと裏カバーとが結合する前の状態を示す図であり、（ａ）は係合部での断面であり、（ｂ）は係合部の手前での断面である。
【図２０】裏カバーの器具本体への装着前の状態を示す斜視図である。
【図２１】表カバーと裏カバーとの厚みを説明するための図であり、（ａ）は第１の方向から見た図であり、（ｂ）は第２の方向から見た図である。
【発明を実施するための形態】
【０００８】
＜概要＞
実施形態の一態様に係る照明装置は、吊り部材を介して被取付面に取り付けられる照明装置であって、前記吊り部材に接続される器具本体と、前記器具本体であって前記被取付面と反対側に搭載される光源ユニットと、前記光源ユニットに電力を供給する電源ユニットとを備え、前記器具本体は絶縁性材料から構成されている。
実施形態の別態様に係る照明装置において、前記光源ユニットは環状をし、前記器具本体は、中央部に前記電源ユニットと、当該電源ユニットの外周側に前記光源ユニットとを搭載し、前記電源ユニットは電源カバーにより覆われ、前記光源ユニットは環状の光源カバーにより覆われている。これにより、環状の光源カバーの外部であってその内側空間を有効に利用できる。
実施形態の別態様に係る照明装置において、前記光源カバーは、前記器具本体の前記被取付面側に位置する裏カバーと、前記器具本体の前記被取付面と反対側に位置する表カバーとを結合させてなる。これにより、中空環状の光源カバーを容易に構成できる。
実施形態の別態様に係る照明装置において、前記光源カバーは、前記環状に延伸する中心軸と直交する断面において、前記裏カバーと前記表カバーとの結合部分の半径が１５ｍｍ以上である。これにより、結合部分の影が生じ難くできる。
実施形態の別態様に係る照明装置において、前記光源カバーは、前記器具本体における前記光源ユニットを搭載している部分と接触しない状態で、前記器具本体に取り付けられている。これにより、光源カバーに器具本体側の影が映るのを防止できる。
実施形態の別態様に係る照明装置において、前記器具本体の中央部分にプルスイッチが設けられ、前記電源カバーは前記プルスイッチの引き紐用の貫通孔を有する。これにより、プルスイッチを器具本体の中央に容易に配置できる。
【０００９】
＜実施形態＞
実施形態では、天井等の被取付面に吊り部材を介して取り外し可能に取り付けられる照明装置Ａの一例として、図１に示すように、被取付面のローゼットや引掛シーリング等の配線器具（図示省略）用のコード（吊り部材１）１０を備えるペンダントライトについて説明する。
【００１０】
１．全体
主に図２〜図４を用いて説明する。
照明装置Ａは、少なくとも器具本体２と光源ユニット３とを備える。照明装置Ａは、電源ユニット４を備えてもよく、電源ユニット４を覆う電源カバー５を備えてもよい。照明装置Ａは、光源ユニット３を覆う光源カバー６を備えてもよい。照明装置Ａは、器具本体２を被取付面（天井）側から覆うシェード７を備えてもよい。
ペンダントライトとしての照明装置Ａは、吊り部材１、器具本体２、光源ユニット３、電源ユニット４、電源カバー５、光源カバー６及びシェード７を備える。照明装置Ａは、さらに、点灯・消灯を操作する操作ユニットの一例としてのプルスイッチ８を備える。
ここで、照明装置Ａの主光主射方向を表側とし、主光出射方向と反対側、つまり、被取付面側を裏側とする。
【００１１】
吊り部材１は、コード１０の一端（裏側端）に引掛けシーリング（図示省略）を、コード１０の他端（表側端）にコードハウジング１１を備え、コードハウジング１１が器具本体２に着脱可能に取り付けられる。
器具本体２は、裏面が吊り部材１に取り付けられ、表面に光源ユニット３と電源ユニット４とを搭載する。ここでは、光源ユニット３は環状をし、その中央部分に電源ユニット４が配される。
電源カバー５は器具本体２の中央部に配されている電源ユニット４を覆う。光源カバー６は器具本体２の周辺部（中央部の外周部）に配されている光源ユニット３を表裏側から覆う。
以下、各部について説明する。
【００１２】
２．吊り部材
図５を用いて説明する。
吊り部材１は、被設置面に設けられている配線器具（図示省略）に接続して、配線器具から受電する機能と照明装置Ａを吊り下げ状態で支持する機能とを有する。
吊り部材１は、配線器具と接続する引掛シーリング（図示省略）と、引掛けシーリングの外観を覆う樹脂製の引掛けカバー（図示省略）と、一端が引掛けシーリングの引掛刃と接続するコード１０と、コード１０の端部の余剰部分を収容するコードハウジング１１とを備える。
【００１３】
コード１０は、図２に示すように、電源ユニット４に接続され且つ器具本体２に取付けられたコネクタ４７と接続するためのコネクタ１２Ａを他端に備える。コード１０は、長さ調整可能であり、折り重ねられた状態で拘束具１２Ｂにより固定されている。なお、この折り重ねられた部分がコードハウジング１１内に収容される。
コードハウジング１１は耐候性の高反射のポリカーボネイト（ＰＣ）により構成されている。これにより、料理等の油脂による材料劣化を防止でき、照明装置Ａが落下するようなことを防止できる。
コードハウジング１１は、有蓋筒状のハウジング本体１３と、ハウジング本体１３の蓋部１４の貫通孔１４ａ（図２参照）に設けられたブッシュ１５とを有している。
コードハウジング１１は、ハウジング本体１３を筒軸廻りに相対的に回転させることにより器具本体２と係合するハウジング側係合部１６と、係合回転時の回転止め部１７と、係合状態で器具本体２に固定するためのハウジング側固定部１８とを有する。
【００１４】
ハウジング側係合部１６は、ハウジング本体１３の開口側端部から径方向の外方に張り出し、周方向に間隔をおいて複数個（例えば４個）ある。回転止め部１７は各ハウジング側係合部１６における係合時の回転方向と反対側の端部から裏側へと突出する。ハウジング側固定部１８は、ハウジング側係合部１６の少なくとも１個に設けられたねじ９１（図９の（ｂ）参照）用の貫通孔により構成されている。
ハウジング本体１３の開口側部分は外拡がりの段差部１９となっており、ハウジング側係合部１６が設けられている段差部分の内面にリブ１６ａが設けられている。リブ１６ａは周方向に間隔をおいてリブ１６ａ毎に複数個（例えば３個）ある。
段差部１９の外周端部は、図２に示すように、シェード７の鍔部７７の開口７９（図３参照）よりも大きく、段差部１９はシェード７の鍔部７７の開口７９の周辺部分を支持する。これにより、シェード７が器具本体２に着脱可能に装着される。
【００１５】
３．器具本体
器具本体２は、吊り部材１を着脱可能に装着するための吊り部材装着部と、電源ユニット４を装着するための電源ユニット装着部と、光源ユニット３を装着するための光源ユニット装着部と、電源カバー５を装着するための電源カバー装着部と、光源カバー６を装着するための光源カバー装着部と、プルスイッチ８を装着するためのスイッチ装着部とを有する。
ここでの器具本体２は樹脂材料により構成されている。樹脂材料として、例えば、透光性を有するポリプロピレン（ＰＰ）等がある。これにより、軽量化、コストダウン、光源の拡散を図ることができる。また、絶縁性の樹脂材料を利用することで、例えば、電源ユニット４、光源ユニット３との絶縁性も確保しやすくなる。
【００１６】
図７及び図８を用いて説明する。
（１）有底筒状部
器具本体２は裏側に有底筒状に凹入する有底筒状部２０を中央に有する。有底筒状部２０の底壁２０１は貫通孔２０２を有している。貫通孔２０２は、図１１の（ａ）に示すように、コネクタ４７用である。コネクタ４７は、電源ユニット４に接続されるケーブル４８の一端に接続され、吊り部材１側のコネクタ１２Ａと接続する。なお、有底筒状部２０の横断面形状は円環状をし、底壁２０１の中心とコードハウジング１１の筒軸とが一致する状態で、器具本体２にコードハウジング１１が装着される。
【００１７】
有底筒状部２０はスイッチ装着部を構成する。有底筒状部２０は表側に板状に延伸する延伸板部分２０３を底壁２０１の表面に有する。延伸板部分２０３は、図１１の（ａ）に示すように、プルスイッチ８の外面に当接又は近接するように設けられている。これにより、プルスイッチ８が位置決めされる。なお、プルスイッチ８は直方体状をし、延伸板部分２０３は、プルスイッチ８の対向する２面と、当該２面に直交する１面との合計３面に当接又は近接する。有底筒状部２０は、底壁２０１におけるプルスイッチ８の裏側部分に貫通孔２０４ａ，２０４ｂを有している。
貫通孔２０４ａには、プルスイッチ８の裏面のねじ穴８ａ（図４参照）に螺合するねじ９２（図３及び図４参照）が裏側から挿通する。つまり、有底筒状部２０の底壁２０１と貫通孔２０４ａとでスイッチ装着部が構成される。貫通孔２０４ｂにはプルスイッチ８の裏面の凸部８ｂ（図４参照）が嵌合する。これにより、プルスイッチ８が器具本体２に対して位置決めと回転規制とがされる。
【００１８】
（２）内側平坦部
器具本体２は、図７に示すように、有底筒状部２０の開口端縁から径方向の外方へと広がる内側平坦部２１を有している。ここでの内側平坦部２１は表側から見ると円環状をしている。
器具本体２は、有底筒状部２０と内側平坦部２１との裏面に凹凸部分を有する。凹凸部分は例えばシボ加工により形成されている。これにより、電源基板４１が装置外部から透けて見えるのを防止できる。
（３）裏側凹入部
器具本体２は、図７に示すように、内側平坦部２１から裏側に凹入する裏側凹入部２２を有している。裏側凹入部２２は、有底筒状部２０の筒軸を中心とした内側平坦部２１の周方向に間隔をおいて複数個（例えば９個）設けられている。
図８を用いて説明する。
複数個の裏側凹入部２２は、裏側又は表側から見たときに、全体として１つの円状となるように構成されている。
【００１９】
裏側凹入部２２は主に吊り部材装着部の一部を構成する。裏側凹入部２２は、底壁２２１の外周縁から裏側に張り出す張出部分２２２と、張出部分２２２の張り出し先端から有底筒状部２０の筒軸に向かって板状に延伸する延伸板部分２２３とを有する。
ここでの張出部分２２２は、周方向に連続した円状をしているが、延伸板部分２２３が存在する部分と、周方向に隣接する延伸板部分２２３間に少なくともあればよい。
延伸板部分２２３は、周方向に間隔をおいて複数個（例えば４個）設けられている（図６の（ｂ）参照）。延伸板部分２２３は、内側平坦部２１と平行な方向に、換言すると有底筒状部２０の筒軸と直交する方向に延伸している。
【００２０】
図９を用いて、吊り部材１の装着について説明する。
吊り部材１のハウジング側係合部１６が器具本体２の裏側凹入部２２の底壁２２１（同図の（ｂ）参照）と対向するように吊り部材１を器具本体２に載置する。この状態が図９の（ａ）である。この際、底壁２２１は、吊り部材１のハウジング側係合部１６を表側から支持する支持機能を有する。
この状態で、図９の（ａ）に示す矢印方向にコードハウジング１１を相対的に回転させると、吊り部材１のハウジング側係合部１６が、器具本体２の延伸板部分２２３の表側に入り込み、図９の（ｂ）に示すように、ハウジング側係合部１６と延伸板部分２２３とが係合する。このように延伸板部分２２３は器具側係合部を構成する。
延伸板部分２２３におけるコードハウジング１１の係合時の回転方向側の端部（２２３ｂ）は、裏側凹入部２２における周方向と直交する端壁２２４と連結されている。
なお、延伸板部分２２３の周方向の長さは、ハウジング側係合部１６の周方向の長さに略等しく、周方向に隣接する延伸板部分２２３の間隔は、入れ込むためにハウジング側係合部１６の周方向の長さよりも大きい。
【００２１】
図８に示すように、少なくとも１つの延伸板部分２２３に欠け部２２３ａが設けられている。欠け部２２３ａに対応する内側平坦部２１には、図６の（ｂ）に示すように、裏側に延伸するボス２１２と、ボス２１２と内壁２２５とを連結するリブ２１３とが設けられ、ボス２１２にねじ穴２１２ａ（図８参照）が設けられている。なお、欠け部２２３ａの引き出し線は連結壁２２８を示す引き出し線と区別するために先端を矢印としている。
ねじ穴２１２ａには、図９に示すように、吊り部材１のハウジング側係合部１６に設けられたハウジング側固定部１８（貫通孔）を挿通するねじ９１が螺合する。このように、内側平坦部２１のボス２１２とねじ穴２１２ａとは吊り部材装着（固定）部の一部を構成する。
【００２２】
以下、図８を用いて説明する。
複数個の裏側凹入部２２は、内壁２２５及び外壁２２６が連結壁２２７，２２８により周方向に隣接する他の裏側凹入部２２と連結されている。これにより、裏側から器具本体２を見ると、裏側凹入部２２の内壁２２５及び外壁２２６並びに連結壁２２７，２２８により周方向に連続する円形状をそれぞれ構成する。これにより、器具本体２の機械的強度特性を向上させることができる。
器具本体２は、内側平坦部２１から立設して裏側凹入部２２の内壁２２５と有底筒状部２０の筒壁２０５とを連結する連結部分２１４を有する。これにより、器具本体２の機械的強度特性を向上させることができる。なお、連結部分２１４は周方向に間隔をおいて複数個設けられている。
器具本体２は、複数個の裏側凹入部２２の内、少なくとも１個の外壁２２６に、図２の拡大図に示すように、貫通孔２２６ａを有する。貫通孔２２６ａには、後述の裏カバー６５の筒部６５１の凸部分６５１ｃが嵌る（図２参照）。これにより、光源カバー６の裏カバー６５が器具本体２に装着される。つまり、裏側凹入部２２の外壁２２６の貫通孔２２６ａは裏カバー装着部を構成し、光源カバー装着部の一部を構成する。
【００２３】
（４）裏側立設部
図８を用いて説明する。
器具本体２は内側平坦部２１から裏側に立設する裏側立設部２３を有している。裏側立設部２３は裏側凹入部２２に対して径方向に間隔をおいて設けられている。裏側立設部２３は周方向に間隔をおいて複数個あり、全体として、有底筒状部２０の筒軸を中心とする円状をしている。裏側立設部２３は、裏側から見たときに円弧状に立設する立設部分２３１と、立設部分２３１の周方向の両端部に設けられたリブ部分２３２とを有する。
裏側立設部２３と裏側凹入部２２の外壁２２６との間には、図１０の（ａ）に示すように、裏カバー６５の筒部６５１が挿入される。これにより、裏カバー６５が器具本体２に対して位置決めされる。
【００２４】
（５）表側凹入部
図６の（ａ）を用いて説明する。
器具本体２は、内側平坦部２１から表側に凹入する表側凹入部を有している。ここでの表側凹入部は、第１表側凹入部２４Ａと第２表側凹入部２４Ｂとがある。第１表側凹入部２４Ａと第２表側凹入部２４Ｂとは、内側平坦部２１の外周縁であって周方向に間隔をおいて設けられている。第１表側凹入部２４Ａと第２表側凹入部２４Ｂとは、表側から見たときに、２か所で不連続となる円状となるように構成されている。つまり、第１表側凹入部２４Ａと第２表側凹入部２４Ｂとは円弧状に凹入している。なお、第１表側凹入部２４Ａは第２表側凹入部２４Ｂよりも周方向に長い。第１表側凹入部２４Ａと第２表側凹入部２４Ｂとの内周壁は連結壁２４Ｃにより連結されている。この構造により、器具本体２が補強される。
【００２５】
（５−１）第１表側凹入部
図７を用いて説明する。
第１表側凹入部２４Ａは、第１深さの第１部分２４１と、第１部分２４１よりも深い第２部分２４２と、第１部分２４１よりも浅い第３部分２４３とを有している。ここでの浅いは裏側に位置し、深いは表側に位置することである。
ここでは、第１表側凹入部２４Ａは、時計回りの方向に、第１部分２４１、第３部分２４３、第１部分２４１及び第２部分２４２を連続して有している。
【００２６】
第１表側凹入部２４Ａは、第１部分２４１の底壁２４１ａにおける外周縁から表側に張り出す外側張出部分２４４と、第１部分２４１の底壁２４１ａにおける径方向の中間から張り出す中間張出部分２４５と、中間張出部分２４５における周方向の両端部と外側張出部分２４４とを径方向に連結する連結張出部分２４６とを有している。外側張出部分２４４、中間張出部分２４５及び連結張出部分２４６の表側先端は、表裏方向において、第２部分２４２の底壁の表面と略一致している。
第１表側凹入部２４Ａは、第１部分２４１の底壁２４１ａにおける内周縁から表側に張り出す内側張出部分２４７を有している。内側張出部分２４７と中間張出部分２４５との間には、図１０の（ｂ）に示すように、電源カバー５の筒部５１の先端部分が挿入される。これにより、電源カバー５が器具本体２に対して位置決めされる。
なお、中間張出部分２４５は、図１０の（ｂ）に示すように、表カバー６１の筒部６１１の先端部と対向する。
【００２７】
図６の（ａ）を用いて説明する。
第２部分２４２は、第１部分２４１側の端壁と、第２部分２４２の内周壁２４２ａであって第１部分２４１の底壁２４１ａよりも表側に位置する部位に貫通溝２４２ｂを有している。貫通溝２４２ｂには、図１０の（ａ）に示すように、電源カバー５の筒部５１の張出片５１１が内周側から進入する。進入は、張出片５１１が第１部分２４１の底壁２４１ａに当接する状態で、電源カバー５が筒部５１の筒軸の廻りに相対的に回転することで行われる。なお、図１０の（ａ）に示すように張出片５１１が貫通溝２４２ｂに進入することで、張出片５１１が第２部分２４２の底壁２４２ｃに係合する（支持される）。つまり、第２部分２４２の底壁２４２ｃと貫通溝２４２ｂとは、電源カバー装着部を構成する。
【００２８】
第３部分２４３の底壁２４３ａは、図１０の（ｃ）に示すように表裏方向に厚肉であり、ねじ穴２４３ｂを有している。ねじ穴２４３ｂには、電源カバー５のＬ字延伸部５１３が底壁２４３ａに当接する状態で、Ｌ字延伸部５１３の貫通孔５１３ａ（図１５参照）を挿通するねじ９４が螺合する。これにより電源カバー５が器具本体２に固定される。つまり、第３部分２４３の底壁２４３ａ（図６の（ａ）参照）は電源カバー５を支持する電源カバー支持部を構成し、底壁２４３ａとねじ穴２４３ｂとは電源カバー固定部を構成する。
【００２９】
第１表側凹入部２４Ａは、図６の（ａ）に示すように、外周壁２４８から径方向の外方へ張り出す張出部分２４８ａを周方向に間隔をおいて複数個有している。張出部分２４８ａは外側平坦部２７の表面よりも表側に位置する（図７参照）。張出部分２４８ａは、図１４の（ｂ）に示すように、光源トレイ３７の内側立設部３７３の表面に当接（係合）する。これにより光源トレイ３７（光源ユニット３）が器具本体２に装着される。このように、張出部分２４８ａは光源トレイ装着部（光源ユニット装着部）の一部を構成する。
【００３０】
（５−２）第２表面凹入部
図６の（ａ）を用いて説明する。
第２表側凹入部２４Ｂは、第１表側凹入部２４Ａの第１深さと同じ深さの第１部分２４１と、第１部分２４１よりも深い第２部分２４２とを有している。
ここでは、第２表側凹入部２４Ｂは、第１部分２４１と第２部分２４２とを周方向に連続して有している。
【００３１】
第２表側凹入部２４Ｂは、第１部分２４１の底壁２４１ａにおける外周縁から表側に張り出す外側張出部分２４４と、第１部分２４１の底壁２４１ａにおける径方向の中間から張り出す中間張出部分２４５と、中間張出部分２４５における周方向の両端部と外側張出部分２４４とを連結する連結張出部分２４６とを有している。
第２表側凹入部２４Ｂにおいても、外側張出部分２４４、中間張出部分２４５及び連結張出部分２４６の表側先端は、表裏方向において、第２部分２４２の底壁の表面と略一致している。
第２表側凹入部２４Ｂは、第１部分２４１の底壁２４１ａにおける内周縁から表側に張り出す内側張出部分２４７を有している。内側張出部分２４７と中間張出部分２４５との間には、図示しないが、第１表側凹入部２４Ａと同様に、電源カバー５の筒部５１の先端部分が挿入される。これにより、電源カバー５が器具本体２に対して位置決めされる（図１０の（ｂ）参照）。
なお、中間張出部分２４５は、図示しないが、第１表側凹入部２４Ａと同様に、表カバー６１の筒部６１１の先端部と対向する。
【００３２】
図６の（ａ）を用いて説明する。
第２部分２４２は、第１部分２４１側の端壁と、第２部分２４２の内周壁２４２ａであって第１部分２４１の底壁２４１ａよりも表側に位置する部位に貫通溝２４２ｂを有している。貫通溝２４２ｂには、図示しないが、第１表側凹入部２４Ａと同様に、電源カバー５の筒部５１の張出片５１１が内周側から進入する（図１０の（ａ）参照）。
【００３３】
第２表側凹入部２４Ｂは、第１表側凹入部２４Ａと同様に、外周壁２４８から径方向の外方へ張出部分２４８ａを周方向に沿って１個以上有している。張出部分２４８ａは外側平坦部２７の表面よりも表側に位置する。張出部分２４８ａは、第１表側凹入部２４Ａと同様に、図１４の（ｂ）に示すように、光源トレイ３７の内側立設部３７３の表面に当接（係合）する。これにより光源トレイ３７（光源ユニット３）が器具本体２に装着される。このように、張出部分２４８ａは光源トレイ装着部の一部を構成し、第１表側凹入部２４Ａの張出部分２４８ａとで光源トレイ装着部を構成する。
なお、光源トレイ３７の装着は、図１４の（ｂ）に示すように、光源トレイ３７の内側立設部３７３の湾曲部分３７３ａを張出部分２４８ａに位置合わせした状態で光源トレイ３７を器具本体２の外側平坦部２７に当接させた後、光源トレイ３７を器具本体２の中心周りを相対的に回転させることで、張出部分２８４ａが内側立設部３７３に係合する。
【００３４】
（６）表側立設部
図６の（ａ）を用いて説明する。
器具本体２は、内側平坦部２１から表側に立設する表側立設部２５を有している。表側立設部２５は、第１表側凹入部２４Ａ、第２表側凹入部２４Ｂ及び連結壁２４Ｃに対して径方向の内側に設けられている。
表側立設部２５は、周方向に間隔をおいて複数個ある。ここでの表側立設部２５は、周方向に等角度（９０度）をおいて、合計４個ある。具体的には、電源基板４１に接続されたケーブル３９（図１２参照）が光源ユニット３と接続する部位の内側に位置する第１部位（図６の（ａ）における右側）と、器具本体２の中心を挟んで第１部位と反対側に位置する第２部位（図６の（ａ）における左側）と、器具本体２の中心と第１部位と第２部位とを結ぶ仮想線分と直交し且つ器具本体２の中心を通る仮想線分上に位置する第３部位、第４部位（図６の（ａ）における上側と下側）の４か所に設けられている。
【００３５】
図７を用いて説明する。
表側立設部２５は、第１表側凹入部２４Ａ又は第２表側凹入部２４Ｂの内周壁若しくは連結壁２４Ｃから対向する他の表側立設部２５に向かって立設する一対のリブ部分２５１と、一対のリブ部分２５１と直交する状態で板状に立設する立設板部分２５３とを有する。なお、第１部位に設けられている表側立設部２５は、上述のケーブル３９の影響により立設板部分２５３は設けられていない。
一対のリブ部分２５１は周方向に間隔をおいて、内側平坦部２１から第１表側凹入部２４Ａ又は第２表側凹入部２４Ｂの第１部分２４１の底壁２４１ａまで又は底壁２４１ａの近傍まで立設する。立設板部分２５３は一対のリブ部分２５１を連結する。これにより表側凹入部２４Ａ，２４Ｂを補強できる。立設板部分２５３は一対のリブ部分２５１間の中央部分が第１表側凹入部２４Ａ又は第２表側凹入部２４Ｂ側に凹入した凹入領域２５３ａとなっている。これにより立設板部分２５３を構造的に補強できる。
【００３６】
図１１を用いて説明する。
図１１の（ａ）に示すように、一対のリブ部分２５１の表側端であって立設板部分２５３よりも有底筒状部２０側に欠け部２５１ａを有している。なお、欠け部２５１ａを除いたリブ部分２５１と立設板部分２５３との表側端は表裏方向の位置が一致している。
欠け部２５１ａの表側端は、図１１の（ｂ）に示すように、電源基板４１を裏側から支持する。立設板部分２５３における器具本体２の中心側の面は電源基板４１の端面と当接又は近接する。このように、表側立設部２５は電源基板４１の位置決め部及び電源基板４１を支持する支持部を構成する。
【００３７】
図７を用いて説明する。
器具本体２は、周方向に隣接する表側立設部２５のリブ部分２５１を連結する状態で表側に立設する連結立設部２５５を有している。連結立設部２５５は、表側から見ると、器具本体２の中央を中心とする円弧状をしている。これにより、器具本体２及び表側立設部２５を構造的に補強できる。
連結立設部２５５の内周面は、図１１の（ａ）に示すように、器具本体２の裏側凹入部２２を被覆するシート部材２９の外周端面と近接又は当接する。つまり、連結立設部２５５はシート部材２９を位置決めする位置決め機能を有する。なお、シート部材２９は裏側凹入部２２に虫等が侵入する又は裏側凹入部２２から装置内部に虫等が侵入するのを防止する機能を有する。また、シート部材２９は粘着剤等により器具本体２に貼着される。
【００３８】
（７）表側突出部
図６の（ａ）を用いて説明する。
器具本体２は表側に突出する表側突出部２６を有している。ここでの表側突出部２６は裏側凹入部２２を利用して設けられている。裏側凹入部２２は、立設板部分２５３を有している表側立設部２５の内側（器具本体２の中心側）に存在する裏側凹入部２２の底壁に設けられている。
表側突出部２６は、図７に示すように、ボス部分２６１により構成され、ボス部分２６１にねじ穴２６３が設けられている。ボス部分２６１の突出先端面は、器具本体２の表裏方向において、表側立設部２５のリブ部分２５１の欠け部２５１ａの表側端面と同じ位置となっている。
表側突出部２６はボス部分２６１の外周面に複数本のリブ部分２６５を有している。これによりボス部分２６１が構造的に補強される。
ねじ穴２６３には、図１１の（ｂ）に示すように、電源基板４１の貫通孔を挿通するねじ９５が螺合する。これにより、表側立設部２５の欠け部２５１ａにより支持されている電源基板４１が器具本体２に固定される。つまり、表側突出部２６は電源基板４１を固定する基板固定部を構成する。なお、表側突出部２６と表側立設部２５とで電源ユニット４を装着する電源ユニット装着部を構成する。
【００３９】
（８）外側平坦部
図７を用いて説明する。
器具本体２は、第１表側凹入部２４Ａ、第２表側凹入部２４Ｂ及び連結壁２４Ｃの外周側に外側平坦部２７を有している。外側平坦部２７は環状をしている。ここでの外側平坦部２７は表側から見ると円環状をしている。
外側平坦部２７は、図２に示すように、表裏方向において、内側平坦部２１よりも裏側にあり、裏側凹入部２２の底壁よりも表側に位置する。これにより、ペンダント照明としての広い範囲への光の出射が可能となる。
外側平坦部２７は、環状の平坦部分２７１と、平坦部分２７１の外周縁から表側に延伸する表鍔部分２７３とを有する。
【００４０】
平坦部分２７１は光源ユニット３を搭載する（図１１参照）。つまり、外側平坦部２７は光源ユニット３を搭載する光源ユニット搭載機能を有する。平坦部分２７１は、電源ユニット４と光源ユニット３とを電気接続するケーブル３９用のガイド２７１ａと、ケーブル３９と光源ユニット３とを接続するための貫通孔２７１ｂとを有している。ガイド２７１ａは平坦部分２７１から表側に突出し、その中央部分にケーブル３９用の溝を有する。なお、ケーブル３９と光源ユニット３とが接続する箇所は、第１表側凹入部２４Ａと第２表側凹入部２４Ｂとの間に形成されている連結壁２４Ｃの外周側である。
なお、ケーブル３９は、器具本体２の表側から内側平坦部２１の貫通孔２１ｃ（図８参照）を介して裏側に導出され、ガイド２７１ａを経緯して、外側平坦部２７の貫通孔２７１ｂから光源ユニット３側に導出される。
【００４１】
外側平坦部２７は、表鍔部分２７３の表側端から器具本体２の中心側に張り出す張出部分２７５を有する。張出部分２７５は、図６の（ａ）に示すように、周方向に間隔をおいて複数個設けられている。なお、張出部分２７５は、図１４の（ｂ）に示すように、後述の光源ユニット３の光源トレイ３７における外側立設部３７５の表側端に係合する。このように、張出部分２７５は光源トレイ装着部（光源ユニット装着部）の一部を構成する。
なお、光源トレイ３７の装着は、光源トレイ３７の外側立設部３７５の湾曲部分３７５ａを張出部分２７５に位置合わせして、光源トレイ３７を器具本体２の外側平坦部２７に当接させた状態で、光源トレイ３７を器具本体２の中心周りを相対的に回転させることで、張出部分２７５が外側立設部３７５に係合する。
【００４２】
４．光源ユニット
図１２を用いて説明する。
光源ユニット３は、光源としての光源素子を表側に有する光源モジュール３１と、光源モジュール３１を搭載する光源トレイ３７とを備える。ここでの光源トレイ３７は絶縁性の樹脂材料で構成されている。樹脂材料として、ポリカーボネート（ＰＣ）等がある。これにより、例えば器具本体２を金属材料で構成しても、絶縁対策が不要となる。
【００４３】
（１）光源モジュール
光源モジュール３１は、複数個のＬＥＤ素子３２と、これらを搭載する配線体３３とを備える。ここでは、光源モジュール３１は複数個（例えば３個）あり、３個の全体として環板状をしている。ここでは円環状をしている。
配線体３３は複数個の導電片（３４，３５）により構成されている。複数個の導電片は、円環板状における内側に位置する内側導電片３４と、円環板状における外側に位置する外側導電片３５との２種類がある。ここでの内側導電片３４及び外側導電片３５は円弧状をしている。内側導電片３４及び外側導電片３５は薄肉の金属板により構成されている。
【００４４】
外側導電片３５は周方向（導電片の長手方向でもある）に複数個（例えば６個）のＬＥＤ素子３２を実装できる長さを有している。内側導電片３４は、周方向に複数個（例えば６個であり、外側導電片３５が実装するＬＥＤ素子数と同じである）のＬＥＤ素子３２を実装できる長さを有する導電片と、周方向に複数個の半分（例えば３個）のＬＥＤ素子３２を実装できる長さを有する導電片の２種類がある。長い方の導電片を内側導電片３４Ａとし、短い方の導電片を内側導電片３４Ｂとする。長さの異なる２種類の内側導電片を区別する必要がない場合、符号「３４」を用いる。
内側導電片３４同士、外側導電片３５同士、並びに内側導電片３４及び外側導電片３５は離間して配される。これにより絶縁性が確保される。
【００４５】
内側導電片３４Ａと外側導電片３５は周方向に半分の長さ分だけずらした状態で配される。換言すると、１つの内側導電片３４Ａは隣接する２つの外側導電片３５と周方向に半分の長さ分だけが重なるように配されている。
内側導電片３４Ｂは、１つの内側導電片３４Ａを周方向の半分で切断した際の各片と同じような形状をしている。内側導電片３４Ｂは周方向に隣接して１組として配され、ここでは、３組あり、この３組が周方向に１２０［度］間隔で配されている。
３組のうちの１組の内側導電片３４Ｂにはケーブル３９が接続される。３組のうちの２組の内側導電片３４Ｂは、隣接する他の光源モジュール３１との接続部として機能する。つまり、一方の内側導電片３４Ｂの延伸部分（一方の光源モジュール３１）は、他方の内側導電片３４Ｂ（他方の光源モジュール３１）に重ねた状態で結合されている。なお、結合には、例えば半田等が利用されている。なお、この接続部分の符号を「３４１」として図１２に示している。
【００４６】
内側導電片３４と外側導電片３５とに径方向に跨るようにＬＥＤ素子３２が接続される。つまり、ＬＥＤ素子３２の一方の電極が内側導電片３４に接続され、ＬＥＤ素子３２の他方の電極が外側導電片３５に接続される。これにより、配線路が構成される。
周方向に隣接する内側導電片３４の間の隙間は環状の光源モジュール３１の中央側が広くなるように構成されている。周方向に隣接する外側導電片３５の間の隙間は環状の光源モジュール３１の中央と反対側（外側）が広くなるように構成されている。
【００４７】
（２）光源トレイ
光源トレイ３７は光源モジュール３１の形状に対応した環状をしている。ここでの光源モジュール３１は円環状をしているため、光源トレイ３７も円環状をしている。
光源トレイ３７は、環状の平坦部３７１と、平坦部３７１の内周縁から表側に立設する内側立設部３７３と、外周縁から表側に立設する外側立設部３７５とを有している。なお、光源トレイ３７を光透過性の熱可塑性樹脂材料（例えばポリカーボネートＰＣ）により構成することで、光源モジュール３１から発せられた光を透過させることができ、照明装置Ａから均一な光を出射することができる。
【００４８】
（２−１）平坦部
平坦部３７１は光源モジュール３１を支持する支持部を構成する。これにより、複数個の導電片３４，３５と複数個のＬＥＤ素子３２とからなる光源モジュール３１を導電片３４，３５を補強せずに、光源ユニット３を構成できる。
平坦部３７１は表側に棒状に延伸する棒状部分３７１ａを有している。棒状部分３７１ａは、光源モジュール３１の内側導電片３４間及び外側導電片３５間に対応して設けられている。光源モジュール３１が光源トレイ３７に搭載されると、図１３の（ａ）に示すように、内側導電片３４の間及び外側導電片３５の間から棒状部分３７１ａが延出する。
棒状部分３７１ａは熱可塑性樹脂により構成され、光源モジュール３１が配された後、先端部分が溶融されて、内側導電片３４と外側導電片３５の表面を係止する係止部となる。つまり、棒状部分３７１ａは、光源モジュール３１を光源トレイ３７に固定する光源モジュール固定機能を有する。これにより、導電片３４，３５にＬＥＤ素子３２が実装するだけの簡単な構造であっても、配線体３３の各導電片３４，３５が変形したり、ズレたりするのを規制される。
【００４９】
平坦部３７１は、図１２に示すように、表側に板状に延伸する板状部分３７１ｂを有している。板状部分３７１ｂは平坦部３７１において径方向に延びる。板状部分３７１ｂは、周方向に間隔をおいて複数個（例えば３個）あり、光源モジュール３１における内側導電片３４Ｂの接続部分３４１の外周側に位置する外側導電片３５間に対応して設けられている。光源モジュール３１が光源トレイ３７に搭載されると、図１３の（ａ）に示すように、板状部分３７１ｂは接続部分３４１の外側の外側導電片３５間に位置する。これにより、接続部分３４１の周辺部での内側導電片３４及び外側導電片３５の移動を規制でき、断線の発生を防止できる。なお、板状部分３７１ｂは、光源モジュール３１を光源トレイ３７に対して位置決めする光源モジュール位置決め機能を有する。
【００５０】
平坦部３７１は表側に「コ」字状に延伸するコ字状部分３７１ｃ（図１２参照）を有している。コ字状部分３７１ｃは、平坦部３７１におけるケーブル３９との接続部分の外周縁側に設けられている。コ字状部分３７１ｃは、ケーブル３９との接続部分に形成された板状部分３７１ｂの外周側に連続して設けられている。光源モジュール３１が光源トレイ３７に搭載されると、図１１の（ａ）に示すように、コ字状部分３７１ｃは、ケーブル３９と接続される内側導電片３４Ｂの外側に位置する外側導電片３５の欠け部３５１（図１２参照）内に位置する。これにより、電気接続される部分の周辺部での内側導電片３４及び外側導電片３５の移動を規制でき、断線の発生を防止できる。なお、コ字状部分３７１ｃは、光源モジュール３１を光源トレイ３７に対して位置決めする光源モジュール位置決め機能を有する。
なお、平坦部３７１は、電源ユニット４と接続するケーブル３９用の貫通孔３７１ｄを有している。
【００５１】
（２−２）内側立設部
図１２を用いて説明する。
内側立設部３７３は光源モジュール３１の配線体３３よりも表側まで延伸する。これにより光源モジュール３１の配線体３３を保護できる。
内側立設部３７３は、外側立設部３７５に向かって湾曲する湾曲部分３７３ａを有している。湾曲部分３７３ａは、周方向に間隔をおいて複数個形成されている。光源トレイ３７に光源モジュール３１が配された状態を表側から見ると、図１３の（ａ）に示すように、湾曲部分３７３ａは光源モジュール３１の内周縁にまで達すように張り出す。これにより光源トレイ３７内の光源モジュール３１の径方向の内方への位置決めが行われる。
【００５２】
内側立設部３７３は、電源ユニット４（ケーブル３９）との接続部分に、図１３に示すように、欠け部３７３ｂを有している。光源トレイ３７は、内側立設部３７３の欠け部３７３ｂを利用して、ケーブル３９の表裏方向への通過を規制する規制部３７４を有している。規制部３７４は、平坦部３７１から表側に突出する一対の突出部分３７４ａ，３７４ｂを有し、二組ある。なお、１組の突出部分３７４ａ，３７４ｂはケーブル３９の１本のリード線用である。一対の突出部分３７４ａ，３７４ｂの突出先端は近接し、突出部分３７４ａ，３７４ｂは周方向（遠近方向）に弾性変形可能となっている。これにより、一対の突出部分３７４ａ，３７４ｂ間のリード線の通過を許容し、リード線の抜けを規制できる。
【００５３】
光源トレイ３７は、内側立設部３７３の内面（中心側の面）から中心に向かって張り出す張出部３７６と、張出部３７６に形成された貫通孔３７６ａとを有している。貫通孔３７６ａには、図１１に示すように、ねじ９６が表側から挿通する。ねじ９６は、器具本体２の第１表側凹入部２４Ａと第２表側凹入部２４Ｂとの間に位置する内側平坦部２１のねじ穴２１ａ（図６の（ａ）参照）に螺合する。これにより光源ユニット３が器具本体２に固定される。
なお、張出部３７６の周縁には、図１３に示すように表側に立設する立設部３７７が形成され、張出部３７６と立設部３７７とで形成される空間にねじ９６が配される（図１１参照）。
【００５４】
（２−３）外側立設部
外側立設部３７５は、光源モジュール３１の配線体３３よりも表側まで延伸する。これにより光源モジュール３１の配線体３３を保護できる。
外側立設部３７５は、内側立設部３７３に向かって湾曲する湾曲部分３７５ａを有している。湾曲部分３７５ａは、周方向に間隔をおいて複数個形成されている。光源トレイ３７に光源モジュール３１が配された状態を表側から見ると、図１３の（ａ）に示すように、湾曲部分３７５ａは光源モジュール３１の外周縁にまで達すように張り出す。これにより光源トレイ３７内の光源モジュール３１の径方向の外方への位置決めが行われる。
【００５５】
５．電源ユニット
図１１の（ｂ）を用いて説明する。
電源ユニット４は、光源ユニット３に電力を供給する電力供給機能を有している。ここでは、電源ユニット４はＬＥＤ素子３２を調光するための調光機能も有している。なお、これらの機能は電源回路により達成される。
電源ユニット４は、電源基板４１と、電源基板４１に実装された複数の電子部品４３とを備える。電源回路は複数の電子部品４３が接続されることにより回路構成されている。なお、図では、複数の電子部品は２つのブロックとして記載している。ここでは、電源ユニット４は器具本体２の中央部の広い領域に設けている。このため、電源基板４１を大きく（面積を広く）でき、片面実装（表面にのみ配線パターンがある）タイプを使用でき、コストダウンを図ることができる。
ここでの電源ユニット４は常夜灯を電源基板４１に備える。なお、常夜灯は複数の電子部品４３を示すブロック中に含まれている。これにより、常夜灯の光は電源カバー５を透過して、柔らかな光が出射されることとなる。
【００５６】
電源基板４１は、ここでは、角が面取りされた方形状をしている。電源基板４１は器具本体２に取り付けられている。取り付けにはねじ９５が利用され、電源基板４１はねじ９５用の貫通孔を有している。なお、貫通孔は対向する２辺近傍に設けられている
電源基板４１は、器具本体２の表側立設部２５の立設板部分２５３が嵌る溝４１ａを有している。溝４１ａは、離間して２個あり、２個の溝４１ａが形成されている部位は、４辺の内の１辺である。これにより、向きを間違えて電源ユニット４が器具本体２に取り付けられることを防止できる。
【００５７】
６．電源カバー
図１５を用いて説明する。
電源カバー５は、有底筒状をし、筒部５１と底部５３とを有している。電源カバー５は電源ユニット４を覆う機能を有する。なお、電源カバー５は、器具本体２に装着され、器具本体２とで電源ユニット４を収容する筐体として機能する。ここでの電源カバー５は常夜灯の明かりが出射できる拡散剤を入れた透光性の樹脂材料（例えば、安全性を考慮した難燃性ポリカーボネートである）により構成されている。
【００５８】
（６−１）筒部
筒部５１の横断面形状が円環状をしている。
筒部５１は、開口側端に径方向の外方へ張り出す張出片５１１を１個以上有している。張出片５１１は、周方向に間隔をおいて２個ある。張出片５１１は、図１０の（ａ）に示すように、器具本体２の表側凹入部２４の第２部分２４２の貫通溝２４２ｂから表側凹入部２４内に挿入し、底壁２４２ｃに係合する。これにより、電源カバー５が器具本体２に装着される。なお、張出片５１１は器具本体２への装着部を構成する。
【００５９】
筒部５１は、開口側端に裏側に延伸した後に径方向の外方へと延伸するＬ字延伸部５１３を有している。Ｌ字延伸部５１３は、径方向の外方へ延伸する部分に貫通孔５１３ａを有している。張出片５１１が器具本体２の底壁２４２ｃに係合すると、Ｌ字延伸部５１３は、図１０の（ｃ）に示すように、裏面が器具本体２の第１表側凹入部２４Ａの第３部分２４３の表面に当接する。この状態で、表側からねじ９４が、Ｌ字延伸部５１３の貫通孔５１３ａを挿通し、第３部分２４３のねじ穴２４３ｂに螺合する。これにより、電源カバー５が器具本体２に固定される。Ｌ字延伸部５１３は、電源カバー５を器具本体２に固定する固定部を構成する。なお、Ｌ字延伸部５１３は、図１５に示すように、径方向に延伸する部分の両側にリブ部分５１３ｂを有している。これによりＬ字延伸部５１３が補強される。
【００６０】
筒部５１は、ケーブル４８と光源ユニット３との接続部分の周辺部分に、筒部５１の筒軸に向かって湾曲する湾曲部５１５を有している。
筒部５１は、開口側端から表側に延びる一対の溝５１６を１組として、周方向に間隔をおいて複数組（例えば３組）有している。筒部５１は、一対の溝５１６間に位置する溝間部分５１７に径方向の外側に突出する凸部５１８を有している。凸部５１８は溝間部分５１７の表裏方向の略中央にある。筒部５１は、溝間部分５１７における凸部５１８の裏側に厚みの薄い薄肉部分５１９を有している。薄肉部分５１９により、薄肉部分５１９の外面から凸部５１８の突出量（裏面の平坦面積）を大きくできる。なお、凸部５１８は、図１０の（ｂ）に示すように、表カバー６１の貫通孔６１１ｂと嵌合（係合）する。また、溝間部分５１７は、一対の溝５１６により、径方向の内外に弾性変形可能となる。なお、筒部５１の厚みが薄く、凸部５１８が径方向に弾性変形可能な場合は一対の溝５１６は設けなくてもよい。
【００６１】
筒部５１は、表裏方向に延伸する一対の突条部５２１を１組として、周方向に間隔をおいて複数組（例えば３組）有している。筒部５１は、一対の突条部５２１に対して筒軸方向の裏側に厚みの薄い薄肉部分５２３を有している。
【００６２】
（６−２）底部
底部５３は、図２に示すように、断面において円弧状に表側に膨出する。底部５３は、図１５に示すように、中央部に裏側に凹入する凹入部分５３１と、凹入部分５３１の底部分に形成された貫通孔５３３とを有している。凹入部分５３１は椀状に凹入している。
貫通孔５３３には、図２〜図４に示すように、中央に貫通孔を有するシリコン等のブッシュ５７が装着される。なお、プルスイッチ８の紐体８３がブッシュ５７の貫通孔を挿通する。なお、ブッシュ５７の貫通孔は小さく、当該貫通孔から虫の侵入を規制している。
【００６３】
７．光源カバー
光源カバー６は、図３及び図４に示すように、器具本体２の表側に位置する表カバー６１と、器具本体２の裏側に位置する裏カバー６５とを結合させてなる。なお、光源カバー６は、表カバー６１と裏カバーと６５とを別々に器具本体２側に装着することで、一体化される。表カバー６１と裏カバー６５は、透光性材料、例えば、樹脂材料から構成され、ここでは、両カバーとも同じ透光性の樹脂材料（例えばポリプロピレン（ＰＰ））を利用している。
光源カバー６は、表側から又は裏側から見ると、径方向に幅のある環状をしている。ここでは、円環状をしている。なお、換言すると、光源カバー６は、器具本体２の有底筒状部２０の筒軸の中心軸から、径方向に離れた所定形状を前記中心軸廻りに回転させた回転体状をしている。ここでの所定形状は、径方向を長軸とする楕円の半分の半楕円形状に近い形状である。
【００６４】
（７−１）表カバー
図１６を用いて説明する。
表カバー６１は、断面形状が半楕円状の下半分を、器具本体２の中心を通る仮想線軸（有底筒状部２０の筒軸と同じである）の廻りに回転させたような形状をしている。
表カバー６１は、仮想線を筒軸とする筒部６１１と、筒部６１１の径方向の外方側に配されている表皿部６１３とを有している。
【００６５】
（７−１−１）筒部
筒部６１１は、裏側端から表側に延びる溝６１１ａを周方向に間隔をおいて複数個（例えば、３個）有している。溝６１１ａは、側方から表カバー６１を見ると、表裏に長い矩形状をし、その開口側端部が裏側に拡がる形状をしている。
溝６１１ａには、図１７に示すように、電源カバー５の筒部５１の一対の突条部５２１が裏側から嵌る。これにより、表カバー６１が電源カバー５に対して、筒部６１１の筒軸廻りに回転するのを規制できる。溝６１１ａは表カバー６１の電源カバー５に対する回転規制部を構成する。
【００６６】
筒部６１１は、図１６に示すように、表裏方向の中央に形成された貫通孔６１１ｂを周方向に間隔をおいて複数個（例えば、３個）有している。貫通孔６１１ｂは、周方向に隣接する２つの溝６１１ａの間に設けられている。
貫通孔６１１ｂには、図１７に示すように、電源カバー５の筒部５１の凸部５１８が嵌合する。これにより、表カバー６１が電源カバー５に対して装着される。貫通孔６１１ｂは表カバー６１を電源カバー５に装着するための装着部を構成する。
【００６７】
筒部６１１は、筒軸に向かって突出する内鍔部分６１１ｃを表側端（つまり、表皿部６１３との結合部分）に有している（図１９参照）。内鍔部分６１１ｃは、図１０の（ｃ）に示すように、電源カバー５の筒部５１と底部５３との結合部分の段差部５５と嵌合する。
【００６８】
（７−１−２）表皿部
表皿部６１３は、図１６に示すように、開口側端面の略全周に表側に凹入する溝６１３ａを有している。溝６１３ａには、図１９の（ｂ）に示す裏カバー６５の突条部分６５３ａが嵌合する。これにより、表カバー６１と裏カバー６５とが径方向にズレるのを防止できる。このように溝６１３ａはズレ防止部を構成する。
【００６９】
表皿部６１３は、図１９の（ｂ）に示すように、開口側端部の内面から裏側に延伸する板状部分６１３ｂと、板状部分６１３ｂの外面に設けられた凸部分６１３ｃとを有している。凸部分６１３ｃは、その突出方向から見ると、表側が開口する「Ｕ」字状をし、Ｕ字内に凹部分６１３ｄを有する。
凸部分６１３ｃは、図１９に示すように、裏カバー６５の裏皿部６５３の凸部分６５５ｃの裏側の凹部分６５５ｄに嵌合する。また、凹部分６１３ｄには、裏カバー６５の裏皿部６５３の凸部分６５５ｃが嵌合する。これにより、表カバー６１と裏カバー６５とが２重構造で係合することとなり、両者を強固に結合することができる。このように、表皿部６１３の凸部分６１３ｃ及び凹部分６１３ｄは裏カバー６５との結合部を構成する。
【００７０】
（７−２）裏カバー
図１８を用いて説明する。
裏カバー６５は、断面形状が半楕円状の上半分を、器具本体２の中心を通る仮想線軸（器具本体２の有底筒状部２０の筒軸と同じである）の廻りに回転させたような形状をしている。
裏カバー６５は、仮想線を筒軸とする筒部６５１と、筒部６５１の径方向の外方側に配されている裏皿部６５３とを有している。
【００７１】
（７−２−１）筒部
筒部６５１は、図１８に示すように、開口側端から裏側に延びる一対の溝６５１ａを１組として、周方向に間隔をおいて複数組（例えば４組）有している。筒部６５１は、一対の溝６５１ａ間に位置する溝間部分６５１ｂに径方向の内側に突出する凸部分６５１ｃを有している。凸部分６５１ｃは溝間部分６５１ｂの表側部分にある。筒部６５１は、溝間部分６５１ｂにおける凸部分６５１ｃの両側に厚みの薄い薄肉部分６５１ｄを有している。なお、凸部分６５１ｃは、図１０の（ｃ）に示すように、器具本体２の裏側凹入部２２の外壁２２６の貫通孔２２６ａと嵌合（係合）する。このように凸部分６５１ｃは裏カバー６５を器具本体２に装着するための装着部を構成する。なお、溝間部分６５１ｂは、一対の溝６５１ａにより、径方向の内外に弾性変形可能となる。また、筒部６５１の厚みが薄く、凸部分６５１ｃが径方向に弾性変形可能な場合は一対の溝６５１ａは設けなくてもよい。
【００７２】
筒部６５１は、図１８及び図２０に示すように、開口側が開口する欠け部分６５１ｅと、欠け部分６５１ｅの周辺から筒軸に向かって、表側が開放する箱状に延伸する箱状延伸部分６５１ｆを有している。筒部６５１は、箱状延伸部分６５１ｆの裏壁６５１ｇに貫通孔６５１ｈを有している。筒部６５１は、図２０に示すように、箱状延伸部分６５１ｆの端壁６５１ｉに溝６５１ｊを有している。
箱状延伸部分６５１ｆは、図２０に示す器具本体２の欠け部２２３ａを介して裏側凹入部２２内に挿入される。この状態で、図２０に示すねじ９１が箱状延伸部分６５１ｆの貫通孔６５１ｈを挿通して、器具本体２のボス２１２のねじ穴２１２ａに螺合する。これにより裏カバー６５は器具本体２に固定される。このように裏壁６５１ｇと貫通孔５６１ｈは固定部を構成する。
なお、裏カバー６５の器具本体２への装着の際には、裏カバー６５の筒部６５１は、器具本体２の裏側凹入部２２の外壁２２６と裏側立設部２３の立設部分２３１との間に挿入される。この挿入状態では、箱状延伸部分６５１ｆが裏側凹入部２２内に隠れ、図９に示すように、吊り部材１のハウジング側係合部１６が器具本体２の延伸板部分２２３に係合するのを妨げることはない。
なお、裏カバー６５の器具本体２への装着の際には、図６の（ｂ）に示すリブ２１３が箱状延伸部分６５１ｆの端壁６５１ｉの溝６５１ｊに嵌る。
【００７３】
（７−２−２）裏皿部
裏皿部６５３は、図１８に示すように、開口側端面の略全周に表側に突出する突条部分６５３ａを有している。突条部分６５３ａは、図１９の（ｂ）に示す表カバー６１の溝６１３ａに嵌合する。これにより、表カバー６１と裏カバー６５とが径方向にズレるのを防止できる。このように突条部分６５３ａはズレ防止部を構成する。
【００７４】
裏皿部６５３は、図１８の拡大図に示すように、開口側端部の内面から厚み方向に凹入する凹入部分６５５を有している。凹入部分６５５は、内面から突条部分６５３ａまで凹入する内凹入部分６５５ａと、内凹入部分６５５ａから突条部分６５３ａを超えて凹入する外凹入部分６５５ｂとからなる。
外凹入部分６５５ｂの底部分には、径方向の内側に突出する凸部分６５５ｃと、凸部分６５５ｃにおける筒部６５１の筒軸方向の裏側の凹部分６５５ｄとを有する（図１９参照）。
凸部分６５５ｃは、図１９に示すように、表カバー６１の表皿部６１３の凹部分６１３ｄに嵌合する。また、凹部分６５５ｄには、表カバー６１の表皿部６１３の凸部分６１３ｃが嵌合する。これにより、表カバー６１と裏カバー６５とが２重構造で係合することとなり、両者を強固に結合することができる。このように、裏皿部６５３の凸部分６５５ｃ及び凹部分６５５ｄは表カバー６１との結合部を構成する。
【００７５】
裏皿部６５３は、図１８に示すように、凹入部分６５５に対して筒部６５１の筒軸方向の裏側部分から、凹入部分６５５を覆うように延伸する延伸部分６５６を有する。ここでの延伸部分６５６は、リブ状に延伸し、２本を１組として有している。なお、延伸部分６５６は裏皿部６５３の凹入部分６５５から離間する状態（隙間がある状態）で設けられている。
裏カバー６５の凹入部分６５５内の凸部分６５５ｃ等に、表カバー６１の板状部分６１３ｂの凹部分６１３ｄ等が係合した状態において、延伸部分６５６と凹入部分６５５との間の隙間に板状部分６１３ｂが挿入される。これにより、延伸部分６５６が板状部分６１３ｂに当接し、係合状態が容易に解除されるのを防止できる。このように、延伸部分６５６は板状部分６１３ｂをその裏側から支持する支持部を構成する。
【００７６】
（７−３）結合部分
光源カバー６は、図２１に示すように、表カバー６１と裏カバー６５との開口端部同士の結合において、結合部分の厚みが接合面に対して表裏で略対称になるように構成されている。なお、略とは、表カバー６１を基準にして、接合面からの距離が同じ部位での表カバー６１と裏カバー６５の厚みの差が１５［％］以下の範囲内にあることをいう。これにより、結合面周辺の光源カバー６の光り方を均一にできる。表カバー６１と裏カバー６５とを同じ材料で構成しているため、接合面の表裏で均一に光る。
ここでの接合面は、表カバー６１の表皿部６１３の溝６１３ａ及び板状部分６１３ｂが形成されてない面と、裏カバー６５の裏皿部６５３の突条部分６５３ａが形成されてない面とが接触又は近接する面である。また、表カバー６１の結合部分６１３ｅは、結合面から板状部分６１３ｂの延伸長さの２倍の距離を表側に離れた位置までをいう。同様に、裏カバー６５の結合部分６５３ｂは、結合面から板状部分６１３ｂの延伸長さの２倍の距離を裏側に離れた位置までをいう。
【００７７】
表カバー６１の結合部分６１３ｅは、断面において、外周面が１５[ｍｍ]以上の半径を有し、内周面は表裏方向に略直線状に延伸する平坦面となっている。裏カバー６５の結合部分６５３ｂは、断面において、外周面が１５[ｍｍ]以上の半径を有し、内周面は表裏方向に略直線状に延伸する平坦面となっている。これにより、結合部分での形状による影（輝度斑）がシェード７に映るのを防止できる。なお、断面は、環状をする光源カバー６における環状に延伸する中心軸と直交する断面である。また、上記半径を曲率で規定すると、光源カバー６は、環状に延伸する中心軸と直交する断面において、前記裏カバーと前記表カバーとの結合部分の曲率が０．０７以下に構成されている。
光源カバー６は、横断面において、外周面の形状が結合面に対して表裏で略対象となっている。なお、略とは、表カバー６１を基準にして、半径の差が１５［％］以下の範囲内にあることをいう。
【００７８】
裏カバー６５は、図２１に示すように、器具本体２における光源ユニット３を表側に搭載している外側平坦部２７と離間する状態で、器具本体２に装着されている。これにより、点灯中に裏カバー６５に器具本体２との接触により影等が発生することがなく、シェード７が均一に照射される。なお、離間するとは、裏カバー６５と器具本体２との最小距離が０．５[ｍｍ]以上をいい、これにより、経時変化により両者が接触することを防止できる。
【００７９】
８．シェード
図２を用いて説明する。
シェード７は、頂部に開口７１を有する笠状部７３と、笠状部７３の開口７１から表側に筒状に凹入する凹入筒部７５と、凹入筒部７５の表側端から筒軸に向かって張り出す鍔部７７とを有する。鍔部７７は、図３に示すように中央に開口７９を有する。鍔部７７は、吊り部材１のハウジング本体１３の段差部１９（図５参照）の裏面と当接する。これによりシェード７が吊り部材１により支持される。
シェード７は透光性材料により構成されている。透光性材料として、例えば、透光性に優れた汎用ポリスチレン（ＧＰＰＳ）等がある。シェード７は、笠状部７３の内面であって表側開口部を除いた領域に凹凸部分を有する。凹凸部分は例えばシボ加工により形成されている。これにより、光源カバー６から出射された光が拡散される。
照明装置Ａは、光源ユニット３の光を照明装置Ａの全体に拡散させるように、透光性の部材を用いて構成している。これによって、出射方向のみならず、照明装置Ａの全体から光が出射しているような構造となっている。
【００８０】
以上、実施形態を説明したが、この実施形態に限られるものではなく、例えば、以下のような変形例であってもよい。また、実施形態と変形例、変形例同士を組み合わせたものであってもよい。
また、実施形態や変形例に記載していない例や、要旨を逸脱しない範囲の設計変更があっても本発明に含まれる。
【００８１】
＜変形例＞
１．照明装置
実施形態の照明装置Ａは電源ユニット４を内蔵しているが、例えば、電源ユニットを被取付面の裏側に配し、コードを利用して光源ユニットに直接点灯電力を供給するようにしてもよい。
実施形態ではプルスイッチ８を備えているが、リモコン等により代用されてもよいし、リモコンも備えてもよい。
【００８２】
２．器具本体
実施形態の器具本体２は、絶縁性材料の光源トレイ３７に光源モジュール３１が搭載された光源ユニット３を外側平坦部２７に備えているが、器具本体２が絶縁性材料で構成されているため、直接光源モジュール３１を搭載するようにしてもよい。この場合、光源トレイ３７が有していた棒状部分３７１ａや板状部分３７１ｂ等を器具本体に形成してもよい。
実施形態の器具本体２は、裏側又は表側から見ると、外周形状が円形状をしているが、矩形状、方形、多角形、楕円状、長円状等の他の形状であってもよい。
器具本体２は、有底筒状部２０、裏側凹入部２２、表側凹入部２４等を有しているが、器具本体２の機械的特性を満たすことができれば、例えば、１つの平坦部により構成してもよいし、１つの平坦部で構成し且つ補強用のリブ等を適宜設けてもよい。
器具本体２は、吊り部材１、光源カバー６、電源ユニット４等を装着するための装着部や固定するための固定部を有しているが、実施形態以外の構造、接着、ねじ、リベット等を利用してもよいし、係合関係は逆にしてもよい。
【００８３】
３．電源ユニット
電源ユニット４は、点灯用の点灯電力を生成したり、調光用に点灯電力を調整したりしているが、例えば電源基板に実装された受光素子がリモコンから受信した点灯信号に基づいて点灯条件を制御する制御回路や、異なる発光色の光源素子を有する場合に調色するための調色回路等を備えてもよい。このような回路を設ける場合、これらの機能を付加機能として実施形態で説明した電源基板と異なる基板に設けてもよいし、実施形態で説明した電源基板に設けてもよい。なお、実施形態の電源基板４１は、円形状、矩形状、多角形等の他の形状であってもよい。
【００８４】
４．電源カバー
実施形態では、電源ユニット４を覆う電源カバー５を備えているが、例えば、表カバーで電源ユニット４を覆うようにして、電源カバー５を無くするような構成としてもよい。但し、光透過性を考慮すると、光源ユニットの影の出現等の可能性がある。
【００８５】
５．光源ユニット
光源ユニット３は、表側から見ると、円環状をしているが、三角形等の多角環状であってもよいし、光源素子（ＬＥＤ素子３２）は２列等の複数列で配されてもよい。
光源ユニット３は、調色用に発光色の異なる複数種類の光源素子を備えてもよい。
光源ユニットは、複数個の導電片３４，３５から構成される配線体３３を備えるが、従来からの絶縁板に配線パターンを設けた基板を利用してもよい。この場合も、器具本体２が絶縁性材料により構成されているため、絶縁対策を必要としない。
光源素子として、ＬＥＤ素子を利用しているが、有機ＥＬ素子、ＬＤ素子等の他の素子を利用してもよい。
【００８６】
６．光源カバー
光源カバー６は、器具本体２の外側平坦部２７の周辺部分と接触しないように、裏カバー６５を器具本体２から離間させている。
しかしながら、光源トレイ３７や器具本体２を非光透過性材料により構成する場合等は、光源カバーと器具本体とが接触してもよい。
光源カバー６は、表カバー６１と裏カバー６５とを備え、両者を係合構造で装着しているが、例えば、表カバ−６１と裏カバー６５とを、接着剤で固着してもよいし、超音波溶着機で係合部や嵌合部を融着してもよい。
【００８７】
７．シェード
シェード７は、外観が円弧状の洋風のデザインを例示したが、外観が四角状の和風のデザインでもよく、吊り部材１により支持される形状であればよい。
【符号の説明】
【００８８】
Ａ    照明装置
１    吊り部材
２    器具本体
３    光源ユニット
４    電源ユニット
５    電源カバー
６    光源カバー
【図１】
2019153393.tif 000003
【図２】
2019153393.tif 000004
【図３】
2019153393.tif 000005
【図４】
2019153393.tif 000006
【図５】
2019153393.tif 000007
【図６】
2019153393.tif 000008
【図７】
2019153393.tif 000009
【図８】
2019153393.tif 000010
【図９】
2019153393.tif 000011
【図１０】
2019153393.tif 000012
【図１１】
2019153393.tif 000013
【図１２】
2019153393.tif 000014
【図１３】
2019153393.tif 000015
【図１４】
2019153393.tif 000016
【図１５】
2019153393.tif 000017
【図１６】
2019153393.tif 000018
【図１７】
2019153393.tif 000019
【図１８】
2019153393.tif 000020
【図１９】
2019153393.tif 000021
【図２０】
2019153393.tif 000022
【図２１】
2019153393.tif 000023